(57)【要約】【課題】  固定金具を介して電柱などに固定されている集約装置に、容易に取り付け可能で、日射を遮る筺体用遮光カバーを提供する。【解決手段】  腕金Ａを介して電柱Ｐに固定されている集約装置Ｃを光から保護する筺体用遮光カバー１であって、集約装置Ｃと集約装置Ｃを固定している腕金Ａとの外周を覆うことが可能で、変形自在なシート２と、シート２の一方の面部に配設され、シート２の一方の面部に対して凸状のスペーサ３と、を備え、シート２の一方の面部が内側となるように、シート２を筒状にして、集約装置Ｃと腕金Ａとの外周を覆うと、スペーサ３が集約装置Ｃや腕金Ａと当接し、シート２と集約装置Ｃや腕金Ａとの間に空間が形成される。【選択図】  図２
2015141055.tif 000002
【特許請求の範囲】
【請求項１】
固定金具を介して固定されている筺体を光から保護する筺体用遮光カバーであって、
前記筺体と前記筺体を固定している前記固定金具との外周を覆うことが可能で、変形自在なシートと、
前記シートの一方の面部に配設され、前記シートの一方の面部に対して凸状のスペーサと、
を備え、
前記シートの一方の面部が内側となるように、前記シートを筒状にして、前記筺体と前記固定金具との外周を覆うと、前記スペーサが前記筺体や前記固定金具と当接し、前記シートと前記筺体や前記固定金具との間に空間が形成される、
ことを特徴とする筺体用遮光カバー。
【請求項２】
前記スペーサは、前記シートを筒状とした際の、軸方向に沿って配設された複数の長尺体である、
ことを特徴とする請求項１に記載の筺体用遮光カバー。
【請求項３】
前記シートの外縁部には、変形自在で、前記シートを筒状にした際に開口部の内周側に位置する収縮部を有しており、
前記シートを筒状とした際に、前記収縮部の外縁部に配設された線状体を引っ張ることによって、前記収縮部が収縮し、形成された開口部が縮小する、
ことを特徴とする請求項１または２に記載の筺体用遮光カバー。
【請求項４】
前記シートは、断熱素材で構成されている、
ことを特徴とする請求項１から３のいずれか１項に記載の筺体用遮光カバー。
【発明の詳細な説明】
【技術分野】
【０００１】
この発明は、固定金具を介して固定されている筺体を日射から保護する筺体用遮光カバーに関する。
【背景技術】
【０００２】
例えば、スマートメータ集約装置は、各家庭に配設されたスマートメータから検針データを収集する機能を有し、データを電力会社側のデータセンタに送信するための通信機器や電源装置などが筺体内に収納されているものである。このスマートメータ集約装置は、電柱や吊線に固定金具を介して固定されているため、日光が直接照射して、特に夏期には非常に高温になってしまう。スマートメータ集約装置が高温になることによって、筺体内の通信機器や電源装置などが故障するおそれがあるため、筺体の外表面に遮熱塗装を施して温度上昇を抑制している。
【０００３】
しかしながら、遮熱塗装によって温度上昇を抑制したとしても、日射を遮るものではないため、日射が強い場合には遮熱塗装による温度上昇の抑制効果だけでは不十分であるおそれがある。また、金属製の遮蔽板を取り付ける場合には、電波が遮断されないようにする必要があるため、筺体全体を覆うことはできない。しかも、電柱や吊線への筺体の取付方法は一様ではないため、取付方法や取付位置に応じた複数の種類の遮蔽板を用意する必要がある。
【０００４】
屋外に設置されているガスメータについて、直射日光などから保護するガス配管設備の保護構造に関する技術が知られている（特許文献１参照。）。この技術は、ガス入口部とガス出口部とを含むメータ本体の上方及びガス栓の上方を全域的に覆う庇板を設け、庇板は、ガス配管又はメータ本体の支持部材等に後付けにて固定可能な支持体に取り付けられているものである。
【先行技術文献】
【特許文献】
【０００５】
【特許文献１】特開２００７−０７８４５８号公報
【発明の概要】
【発明が解決しようとする課題】
【０００６】
しかしながら、特許文献１に記載の技術は、ガスメータが対象であり、地上で取り付け作業を行うことができる。また、庇板でメータ本体の上方及びガス栓の上方を覆うため、正面側や側面側からの日射を遮ることはできない。
【０００７】
これに対して、例えば、スマートメータ集約装置などのように固定金具を介して電柱や吊線に固定されている筺体は、取り付けに高所作業が必要であるため、容易に取り付けできるものが望まれていた。また、筺体は固定金具を介して固定されているため、上面に加えて、側面、正面、背面からの日射を遮る必要がある。
【０００８】
そこで本発明は、固定金具を介して電柱や吊線に固定されている筺体に、容易に取り付け可能で、日射を遮る筺体用遮光カバーを提供することを目的とする。
【課題を解決するための手段】
【０００９】
上記目的を達成するために請求項１に記載の発明は、固定金具を介して固定されている筺体を光から保護する筺体用遮光カバーであって、前記筺体と前記筺体を固定している前記固定金具との外周を覆うことが可能で、変形自在なシートと、前記シートの一方の面部に配設され、前記シートの一方の面部に対して凸状のスペーサと、を備え、前記シートの一方の面部が内側となるように、前記シートを筒状にして、前記筺体と前記固定金具との外周を覆うと、前記スペーサが前記筺体や前記固定金具と当接し、前記シートと前記筺体や前記固定金具との間に空間が形成される、ことを特徴とする筺体用遮光カバーである。
【００１０】
この発明によれば、シートの一方の面部が内側となるように、シートを筒状にして、筺体と固定金具の外周を覆うと、凸状のスペーサが筺体や固定金具と当接し、シートと筺体や固定金具との間に空間が形成される。
【００１１】
請求項２に記載の発明は、請求項１に記載の筺体用遮光カバーにおいて、前記スペーサは、前記シートを筒状とした際の、軸方向に沿って配設された複数の長尺体である、ことを特徴とする。
【００１２】
請求項３に記載の発明は、請求項１または２に記載の筺体用遮光カバーにおいて、前記シートの外縁部には、変形自在で、前記シートを筒状にした際に開口部の内周側に位置する収縮部を有しており、前記シートを筒状とした際に、前記収縮部の外縁部に配設された線状体を引っ張ることによって、前記収縮部が収縮し、形成された開口部が縮小する、ことを特徴とする。
【００１３】
請求項４に記載の発明は、請求項１から３のいずれか１項に記載の筺体用遮光カバーにおいて、前記シートは、断熱素材で構成されている、ことを特徴とする。
【発明の効果】
【００１４】
請求項１に記載の発明によれば、シートの一方の面部が内側となるように、シートを筒状にして、筺体と筺体を固定している固定金具との外周を覆うことができる。このため、筺体の全体を覆って、遮光することができる。すなわち、筺体と固定金具の外周を覆うことができるので、固定金具を介して固定されている筺体にそのまま取り付けることができる。
【００１５】
また、シートを筒状にして、筺体と固定金具の外周を覆うと、凸状のスペーサが筺体や固定金具と当接し、筺体用遮光カバーと筺体との間に隙間（空間部）が形成されるので、日射によって温度上昇した筺体用遮光カバーの熱が、筺体に伝導することを抑制することができる。
【００１６】
請求項２に記載の発明によれば、スペーサは、シートを筒状とした際の、軸方向に沿って配設された複数の長尺体であるため、筺体用遮光カバーと筺体との間に軸方向に沿って隙間（空間部）が均等に形成されるので、日射によって温度上昇した筺体用遮光カバーの熱が、筺体に伝導することをより確実に抑制することができる。
請求項３に記載の発明によれば、シートを筒状とした際に、線状体を引っ張ることによって、シートの外縁部に配設された収縮部が収縮し、形成された開口部が縮小するので、筺体と固定金具の外周をより確実に覆うことができる。また、開口部が縮小して、筺体の外周よりも小さくなるので、筺体用遮光カバーがずれることを防止する。
【００１７】
請求項４に記載の発明によれば、シートは、断熱素材で構成されているので、筺体用遮光カバー自体の温度上昇を抑制し、筺体用遮光カバーによる断熱効果をより高めることができる。
【図面の簡単な説明】
【００１８】
【図１】本発明の実施の形態に係る筺体用遮光カバーを開いた状態を示す斜視図である。
【図２】図１の筺体用遮光カバーによってスマートメータ集約装置を保護した状態を示す斜視図である。
【図３】図１の筺体用遮光カバーの断面図である。
【図４】図１の筺体用遮光カバーによってスマートメータ集約装置を保護した状態を示す断面図である。
【図５】図１の筺体用遮光カバーをスマートメータ集約装置に取り付けた状態を示す図である。
【図６】図１の筺体用遮光カバーによってスマートメータ集約装置を保護した状態を示す断面図である
【図７】図１の筺体用遮光カバーをスマートメータ集約装置に取り付けた状態を示す図である。
【発明を実施するための形態】
【００１９】
つぎに、この発明の実施の形態について、図面を用いて詳しく説明する。
【００２０】
図１ないし図５は、本発明の実施の形態を示している。筺体用遮光カバー１は、固定金具を介して固定されている筺体を光から保護するものであり、この実施の形態においては、図５に示すように、固定金具（腕金）Ａ１を介して電柱Ｐに配設されている筺体としてのスマートメータ集約装置（集約装置）Ｃ１に使用する場合について説明する。
【００２１】
図１は、筺体用遮光カバー１を開いた状態の全体を示している。筺体用遮光カバー１は、主として、シート２と、スペーサ３と、線状体（引張紐）４、５と、仮止め手段（面ファスナ）６と、係止手段（ロックベルト）７と、脱落防止手段（脱落防止紐）８、９とを備えている。
【００２２】
シート２は、集約装置Ｃ１と集約装置Ｃ１を電柱Ｐに固定している腕金Ａ１の外周を覆うことが可能で、変形自在なシート状の断熱性、耐水性、耐紫外線性を有する材料で構成されており、主として、シート本体部２１と、収縮部２２、２３を備えている。シート本体部２１は、略長方形状の巻き付け部と、巻き付け部から一体に延びる略台形状の重ね合せ部２１Ａとを備えている。シート本体部２１は、巻き付け部の短辺部２１ｃ側と、重ね合わせ部２１Ａとを重ね合わせることで円筒状となる。円筒状のシート本体部２１は、集約装置Ｃ１と集約装置Ｃ１を固定している腕金Ａ１の外周を覆うことが可能な大きさとなっている。シート本体部２１の長辺部２１ａには収縮部２２が配設され、長辺部２１ａと対向する長辺部２１ｂには収縮部２３が配設されている。
【００２３】
収縮部２２、２３は、変形自在で、シート本体部２１から外方に広がるように形成されており、図２に示すように、シート本体部２１を円筒状にした際には、開口部の内周側に位置するようになっている。図１に示すように、収縮部２２から重ね合せ部２１Ａの外縁部に沿って、線状体としての引張紐４が配設され、収縮部２３から重ね合せ部２１Ａの外縁部に沿って、引張紐５が配設されている。図２に示すように、シート本体部２１を円筒状にした際に、収縮部２２、２３の外縁部側は、引張紐４、５を引っ張ることによって収縮し、開口部が縮小する。
【００２４】
巻き付け部の短辺部２１ｃ側には、図１に示すように、重ね合せ部２１Ａが挿通可能な挿通孔２１Ｂが形成されている。図２に示すように、シート本体部２１を円筒状にする際に、巻き付け部の短辺部２１ｃ側と、重ね合わせ部２１Ａとを重ね合わせ、重ね合せ部２１Ａを挿通孔２１Ｂに挿通するようになっている。
【００２５】
重ね合わせ部２１Ａには、図１に示すように、作業者が把持したり、工具を挿通したりするための把持孔２１Ｃが形成されている。すなわち、作業者は、挿通孔２１Ｂに挿通された重ね合わせ部２１Ａの把持孔２１Ｃを把持して、重ね合わせ部２１Ａを引っ張ることができる。
【００２６】
スペーサ３は、図１、図３、図４に示すように、シート本体部２１の一方の面部（円筒状にした際の内周面部）に配設されている。ここでは、６つのスペーサ３が短辺部２１ｃに沿って、略平行に配設されている。スペーサ３は、楕円柱状に形成されており、シート本体部２１からの高さが数ｃｍとなるように大きさが設定されている。すなわち、図４に示すように、シート本体部２１を筒状とした際に、６つのスペーサ３が集約装置Ｃ１や腕金Ａ１と当接することにより、シート本体部２１と集約装置Ｃ１との間に軸方向に沿って隙間（空間部）が形成されるような大きさに設定されている。
【００２７】
引張紐４は、図１に示すように、収縮部２２からシート本体部２１の重ね合せ部２１Ａの外縁部に沿って配設されており、一端部は収縮部２２の外縁部に固定されている。引張紐４の他端側は、重ね合わせ部２１Ａから外方に延びており、先端部には把持部４ａが形成されている。引張紐４の把持部４ａを引っ張ると、収縮部２２の外縁部側が収縮し、開口が縮小する。また、引張紐４には、ストッパ４ｂが配設されており、引張紐４を引き出して所望の位置で保持できる。引張紐５は、引張紐４と同様に構成されており、引張紐５の把持部５ａを引っ張ると、収縮部２３の外縁部側が収縮し、開口が縮小する。このように、引張紐４、５によって開口部を収縮すると、集約装置Ｃ１の外周よりも小となる。
【００２８】
面ファスナ６は、図１に示すように、フック面６１と、ループ面６２とを備えている。フック面６１は、シート本体部２１の重ね合せ部２１Ａの一方の面部（円筒状にした際の内周面部）に配設され、ループ面６２は、シート本体部２１の巻き付け部の他方の面部（円筒状にした際の外周面部）に配設されている。すなわち、シート本体部２１を円筒状にした際に、フック面６１とループ面６２とが重なることによってシート２を仮止めする。
【００２９】
ロックベルト７は、図１に示すように、ベルト７１、７２と、ベルト通し７３、７４、７５、７６とを備えている。ベルト７１、７２は、シート本体部２１の重ね合せ部２１Ａに配設されており、ベルト通し７３、７４、７５、７６は、シート本体部２１の巻き付け部の略中央部に配設されている。図３、図４に示すように、シート本体部２１を円筒状にして仮止めした後に、ベルト７１をベルト通し７３、７４に挿通し、ベルト７２をベルト通し７５、７６に挿通することでシート２を係止する。
【００３０】
脱落防止紐８、９は、図１に示すように、シート本体部２１の収縮部２２、２３に配設されており、筺体用遮光カバー１を吊線や腕金Ａ１などに固定し、脱落しないようにするためのものである。脱落防止紐８は、保持紐８１と固定リング８２とを備えている。保持紐８１の一端側は、収縮部２２に固定されており、他端側が固定リング８２を介して吊線や腕金Ａ１などに固定可能となっている。また、同様の機能を有する脱落防止手段９が、収縮部２３に配設されている。
【００３１】
つぎに、筺体用遮光カバー１の取付手順および作用について説明する。ここでは、図５に示すように、腕金Ａ１を介して電柱Ｐに配設されている集約装置Ｃ１に使用する場合について説明する。
【００３２】
まず、図１に示すように、開いた状態の筺体用遮光カバー１が、集約装置Ｃ１の下方に近づけられる。
【００３３】
そして、スペーサ３が集約装置Ｃ１と当接する位置まで筺体用遮光カバー１が近づけられて、シート本体部２１の一方の面部（スペーサ３が配設された面部）を内側にした状態で、図２、図４、図５に示すように、集約装置Ｃ１と集約装置Ｃ１を固定している腕金Ａ１との外周を覆うように、シート本体部２１が円筒状にされる。このとき、巻き付け部の短辺部２１ｃ側と、重ね合わせ部２１Ａとが重ね合わされて、重ね合せ部２１Ａが挿通孔２１Ｂに挿通され、フック面６１とループ面６２とが重なることによってシート２が仮止めされる。このとき、作業者によって、挿通孔２１Ｂに挿通された重ね合わせ部２１Ａの把持孔２１Ｃが把持されて、重ね合わせ部２１Ａが引っ張られる。
【００３４】
そして、ベルト７１がベルト通し７３、７４に挿通され、ベルト７２がベルト通し７５、７６に挿通されて、シート２が係止される。
【００３５】
そして、引張紐４の把持部４ａが引っ張られて、収縮部２２の外縁部側が収縮され、開口が縮小された状態で、ストッパ４ｂによって保持される。同様に、引張紐５の把持部５ａが引っ張られて、収縮部２３の外縁部側が収縮され、開口が縮小された状態で、ストッパ５ｂによって保持される。
これにより、シート本体部２１を筒状にして、集約装置Ｃ１と腕金Ａ１の外周を覆うと、スペーサ３が集約装置Ｃ１や腕金Ａ１と当接し、筺体用遮光カバー１と集約装置Ｃ１との間に隙間（空間部）が形成される。また、引張紐４、５を引っ張ることによって、開口部が縮小し、集約装置Ｃ１や腕金Ａ１の外周をより確実に覆うことができる。また、開口部が縮小して、集約装置Ｃ１の外周よりも小さくなるので、筺体用遮光カバー１がずれることを防止する。
【００３６】
このようにして、腕金Ａ１を介して電柱Ｐに配設されている集約装置Ｃ１に、筺体用遮光カバー１が取り付けられる。
【００３７】
集約装置Ｃ１の点検作業などのために、取り付けた筺体用遮光カバー１を一時的に取り外す場合は、引張紐４、５が緩められ、ロックベルト７による係止が解除され、面ファスナ６による仮止めが解除されて、シート本体部２１が開かれた状態とされて、集約装置Ｃ１の下方に移動させる。このとき、脱落防止紐８、９によって、筺体用遮光カバー１は、吊線に固定された状態となっている。
【００３８】
そして、筺体用遮光カバー１が取り外された集約装置Ｃ１の点検作業などが行われる。点検作業の終了後は、再び筺体用遮光カバー１が取り付けられる。
【００３９】
以上のように、この筺体用遮光カバー１によれば、シート本体部２１の一方の面部が内側となるように、シート本体部２１を筒状にして、集約装置Ｃ１と腕金Ａ１の外周を覆うことができる。このため、集約装置Ｃ１の全体を覆って、遮光することができる。集約装置Ｃ１と腕金Ａ１の外周を覆うことができるので、腕金Ａ１を介して固定されている集約装置Ｃ１にそのまま取り付けることができる。すなわち、この筺体用遮光カバー１は、腕金Ａ１を介して吊下げられている集約装置Ｃ１を取り外すことなく、そのまま取り付けることができる。
【００４０】
また、シート本体部２１を筒状にして、集約装置Ｃ１と腕金Ａ１の外周を覆うと、スペーサ３が集約装置Ｃ１や腕金Ａ１と当接し、シート本体部２１と集約装置Ｃ１との間に隙間（空間部）が形成されるので、日射によって温度上昇したシート本体部２１の熱が、集約装置Ｃ１に伝導することを抑制することができる。
【００４１】
また、スペーサ３は、シート本体部２１を筒状とした際の、軸方向に沿って配設された複数の楕円柱であるため、シート本体部２１と集約装置Ｃ１との間に軸方向に沿って隙間（空間部）が均等に形成されるので、日射によって温度上昇したシート本体部２１の熱が、集約装置Ｃ１に伝導することをより確実に抑制することができる。
【００４２】
さらに、シート本体部２１を筒状とした際に、引張紐４、５を引っ張ることによって、収縮部２２、２３の外縁部が収縮し、形成された開口部が縮小するので、集約装置Ｃ１と腕金Ａ１の外周をより確実に覆うことができる。また、開口部が縮小して、集約装置Ｃ１の外周よりも小さくなるので、筺体用遮光カバー１がずれることを防止する。
【００４３】
しかも、シート２は、断熱素材で構成されているので、筺体用遮光カバー１自体の温度上昇を抑制し、筺体用遮光カバー１による断熱効果をより高めることができる。
【００４４】
筺体用遮光カバー１は着脱可能であり、かつ、筺体用遮光カバー１の長手方向の端面側は開口しているため、ケーブルＥと干渉しないので、腕金Ａ１を介して固定されている集約装置Ｃ１を取り外すことなく、筺体用遮光カバー１を後付けすることができる。
【００４５】
シート２であるため、内部に収容した集約装置Ｃ１の通信機器の電波透過性が低下しない。また、筺体用遮光カバー１は軽量化されるので、高所作業における取扱いが容易になる。
【００４６】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、図５に示すように、腕金Ａ１を介して電柱Ｐに配設されている集約装置Ｃ１に使用する場合について説明したが、この場所に限られるものではなく、吊線に吊下げられている集約装置Ｃなど他の方法によって固定されている集約装置Ｃであっても、取り付けることが出来ることはもちろんである。具体的には、図６、図７に示すように、集約装置Ｃ２の側面部に腕金Ａ２が配設されているような場合であっても、同様に、筺体用遮光カバー１を集約装置Ｃ２と腕金Ａ２の外周を覆うように取り付けることができる。
【００４７】
また、巻き付け部の短辺部２１ｃ側と、重ね合わせ部２１Ａとを重ね合わせて、重ね合せ部２１Ａを挿通孔２１Ｂに挿通するものとして説明したが、挿通孔２１Ｂはなくてもよい。この場合は、巻き付け部の短辺部２１ｃ側と、重ね合わせ部２１Ａとを重ね合わせて、フック面６１とループ面６２とを重ねてシート２を仮止めして、ベルト７１をベルト通し７３、７４に挿通して、ベルト７２をベルト通し７５、７６に挿通してシート２を係止すればよい。
【００４８】
さらに、仮止め手段として面ファスナ６によって、シート本体部２１を円筒状にして仮止めするようにして説明したが、面ファスナ６はなくてもよい。この場合は、巻き付け部の短辺部２１ｃ側と、重ね合わせ部２１Ａとを重ね合わせて、重ね合せ部２１Ａを挿通孔２１Ｂに挿通して、ベルト７１をベルト通し７３、７４に挿通して、ベルト７２をベルト通し７５、７６に挿通してシート２を係止すればよい。
【００４９】
さらにまた、スペーサ３の形状が限定されず、シート本体部２１と集約装置Ｃ１との間に隙間（空間部）が形成されるものであれば、他の形状であってもよい。
【符号の説明】
【００５０】
１        筺体用遮光カバー
２        シート
２１Ａ    重ね合せ部
２２      収縮部
２３      収縮部
３        スペーサ
４        引張紐（線状体）
５        引張紐（線状体）
６        面ファスナ（仮止め手段）
７        ロックベルト（係止手段）
８        脱落防止紐（脱落防止手段）
９        脱落防止紐（脱落防止手段）
Ｃ        スマートメータ集約装置（筺体）
Ａ        腕金（固定金具）
Ｅ        ケーブル
【図１】
2015141055.tif 000003
【図２】
2015141055.tif 000004
【図３】
2015141055.tif 000005
【図４】
2015141055.tif 000006
【図５】
2015141055.tif 000007
【図６】
2015141055.tif 000008
【図７】
2015141055.tif 000009